(57)【要約】【課題】利用者が意図しない内容物の繰り出しを抑制することが可能な繰り出し容器を提供する。【解決手段】本発明の繰り出し容器１００は、上部に開口１３ｂを有する筒状の容器本体１０と、容器本体１０内に配置され、皿状部２１と皿状部２１の内周端に連なる内筒壁２３とを有し、容器本体１０に対して上下方向に移動可能、且つ回転不能に支持された中皿体２０と、上下方向に延び内筒壁２３の径方向内側を貫く回転軸３１を有する回転体３０とを備え、回転軸３１の外周面及び内筒壁２３の内周面には、ねじ係合部（雄ねじ部３１ａ及び雌ねじ部２３ａ）が形成されており、回転軸３１の外周面には、周方向の少なくとも１箇所に切り欠き３１ｂが形成され、内筒壁２３の内周面には、周方向の少なくとも１箇所において径方向内側に突出する突出部２３ｄが形成されていることを特徴とする。【選択図】図５
2019208683.tif 000002
【特許請求の範囲】
【請求項１】
上部に開口を有する筒状の容器本体と、
該容器本体内に配置され、皿状部と該皿状部の内周端に連なる内筒壁とを有し、該容器本体に対して上下方向に移動可能、且つ回転不能に支持された中皿体と、
上下方向に延び前記内筒壁の径方向内側を貫く回転軸を有する回転体と
を備え、
前記回転軸の外周面及び前記内筒壁の内周面には、少なくとも一対のねじ係合部が形成されており、
前記回転軸の外周面には、周方向の少なくとも１箇所に切り欠きが形成され、
前記内筒壁の内周面には、周方向の少なくとも１箇所において径方向内側に突出する突出部が形成されていることを特徴とする繰り出し容器。
【請求項２】
前記回転軸の外周面には、周方向の対向する２箇所に切り欠きが形成され、前記内筒壁の内周面には、周方向の対向する２箇所において径方向内側に突出するリブが形成されている、請求項１に記載の繰り出し容器。
【請求項３】
前記周方向の対向する２箇所に形成され径方向内側に突出するリブの径方向内側端同士の距離は、前記回転軸の前記切り欠きが形成されていない周方向位置における外径よりも短い、請求項２に記載の繰り出し容器。
【請求項４】
前記内筒壁は、前記突出部が形成された周方向位置を含む所定の周方向位置において、他の周方向位置よりも薄肉となるように構成されている、請求項１乃至３のいずれか一項に記載の繰り出し容器。
【請求項５】
前記回転軸の外周面には、周方向の対向する２箇所に切り欠きが形成され、前記内筒壁の内周面には、周方向の１箇所において径方向内側に突出するリブが形成されている、請求項１に記載の繰り出し容器。
【請求項６】
平面視における、前記リブの径方向内側端と前記内筒壁の内周面との最大距離は、前記回転軸の前記切り欠きが形成されていない周方向位置における外径よりも短い、請求項５に記載の繰り出し容器。
【請求項７】
前記中皿体は、前記皿状部の外周端に連なる外筒壁を更に有し、前記外筒壁の外周面及び前記容器本体の内周面の一方に形成され中心軸線方向に延びる凸部が、前記外筒壁の外周面及び前記容器本体の内周面の他方に形成され中心軸線方向に延びる凹部に嵌合することにより、前記中皿体は前記容器本体に対して回転不能に支持される、請求項１乃至６のいずれか一項に記載の繰り出し容器。
【発明の詳細な説明】
【技術分野】
【０００１】
本発明は、繰り出し容器に関するものである。
【背景技術】
【０００２】
従来から、例えば特許文献１に示す繰り出し容器が知られている。この繰り出し容器は、内筒部と当該内筒部に相対的に回転可能に外装された外筒部とを有する容器本体と、外筒部との相対回転が規制された状態で内筒部に対して相対回転可能に配設された保持部材とを備え、内筒部と保持部材とに備えた雄ねじ部と雌ねじ部との圧接力が、保持部材の容器軸方向（螺旋方向）によらず同等に維持して操作性を向上させた、繰り出し容器が開示されている。
【先行技術文献】
【特許文献】
【０００３】
【特許文献１】特開２０１４−１８８２６０号公報
【発明の概要】
【発明が解決しようとする課題】
【０００４】
ところで、上記の繰り出し容器においては、利用者が繰り出し容器をバッグ等に入れて持ち運ぶ際に、バッグと繰り出し容器との間の摩擦等により、内筒部に対して外筒部が相対的に回転し内容物が繰り出されてしまうことがあり、改善の余地があった。
【０００５】
本発明の目的とするところは、利用者が意図しない内容物の繰り出しを抑制することが可能な繰り出し容器を提供することにある。
【課題を解決するための手段】
【０００６】
本発明の繰り出し容器は、
上部に開口を有する筒状の容器本体と、
該容器本体内に配置され、皿状部と該皿状部の内周端に連なる内筒壁とを有し、該容器本体に対して上下方向に移動可能、且つ回転不能に支持された中皿体と、
上下方向に延び前記内筒壁の径方向内側を貫く回転軸を有する回転体と
を備え、
前記回転軸の外周面及び前記内筒壁の内周面には、少なくとも一対のねじ係合部が形成されており、
前記回転軸の外周面には、周方向の少なくとも１箇所に切り欠きが形成され、
前記内筒壁の内周面には、周方向の少なくとも１箇所において径方向内側に突出する突出部が形成されていることを特徴とする。
【０００７】
また、本発明の繰り出し容器は、上記構成において、前記回転軸の外周面には、周方向の対向する２箇所に切り欠きが形成され、前記内筒壁の内周面には、周方向の対向する２箇所において径方向内側に突出するリブが形成されていることが好ましい。
【０００８】
また、本発明の繰り出し容器は、上記構成において、前記周方向の対向する２箇所に形成され径方向内側に突出するリブの径方向内側端同士の距離は、前記回転軸の前記切り欠きが形成されていない周方向位置における外径よりも短いことが好ましい。
【０００９】
また、本発明の繰り出し容器は、上記構成において、前記内筒壁は、前記突出部が形成された周方向位置を含む所定の周方向位置において、他の周方向位置よりも薄肉となるように構成されていることが好ましい。
【００１０】
また、本発明の繰り出し容器は、上記構成において、前記回転軸の外周面には、周方向の対向する２箇所に切り欠きが形成され、前記内筒壁の内周面には、周方向の１箇所において径方向内側に突出するリブが形成されていることが好ましい。
【００１１】
また、本発明の繰り出し容器は、上記構成において、平面視における、前記リブの径方向内側端と前記内筒壁の内周面との最大距離は、前記回転軸の前記切り欠きが形成されていない周方向位置における外径よりも短いことが好ましい。
【００１２】
また、本発明の繰り出し容器は、上記構成において、前記中皿体は、前記皿状部の外周端に連なる外筒壁を更に有し、前記外筒壁の外周面及び前記容器本体の内周面の一方に形成され中心軸線方向に延びる凸部が、前記外筒壁の外周面及び前記容器本体の内周面の他方に形成され中心軸線方向に延びる凹部に嵌合することにより、前記中皿体は前記容器本体に対して回転不能に支持されることが好ましい。
【発明の効果】
【００１３】
本発明によれば、利用者が意図しない内容物の繰り出しを抑制することが可能な繰り出し容器を提供することができる。
【図面の簡単な説明】
【００１４】
【図１】本発明の第１実施形態である繰り出し容器の正面断面図である。
【図２】本発明の第１実施形態である繰り出し容器の中皿体部分の拡大断面図である。
【図３】図２のＡ−Ａ断面による断面図である。
【図４】図３の状態から回転体を中心軸線周りに９０度回転させた状態を示す図であり、図５のＢ−Ｂ断面による断面図である。
【図５】図２の状態から回転体を中心軸線周りに９０度回転させた状態を示す図である。
【図６】本発明の第２実施形態である繰り出し容器の中皿体部分の拡大断面図である。
【図７】図６のＣ−Ｃ断面による断面図である。
【図８】図７の状態から回転体を中心軸線周りに９０度回転させた状態を示す図であり、図９のＤ−Ｄ断面による断面図である。
【図９】図６の状態から回転体を中心軸線周りに９０度回転させた状態を示す図である。
【発明を実施するための形態】
【００１５】
以下、図面を参照して、本発明の様々な形態を詳細に説明する。なお、本明細書、特許請求の範囲、要約書および図面では、後述する蓋体４０が位置する側を上方（図１における上側）とし、回転体３０が設けられる側を下方（図１における下側）とする。また、径方向外側とは、図１の上下方向に沿う繰り出し容器１００の中心軸線Ｃを通り中心軸線Ｃに垂直な直線に沿って外側に向かう方向であり、径方向内側とは、当該直線に沿って中心軸線Ｃに向かう方向を意味するものとする。
【００１６】
図１は、本発明の第１実施形態に係る繰り出し容器１００を示す。本実施形態に係る繰り出し容器１００は、上端部に開口１３ｂを有する筒状の容器本体１０と、容器本体１０内に配置され、皿状部２１と当該皿状部２１の内周端に連なる内筒壁２３とを有し、容器本体１０に対して上下方向に移動可能、且つ回転不能に支持された中皿体２０と、上下方向に延び内筒壁２３の径方向内側を貫く回転軸３１を有する回転体３０と、容器本体１０の上端部の開口１３ｂを閉塞する蓋体４０とを備えている。本実施形態に係る繰り出し容器１００は、例えば化粧料（口紅、リップクリーム、若しくはスティックアイシャドウ等）、糊、又は薬剤等の棒状に形成された内容物を収容し、利用者が必要量だけ内容物を繰り出して使用するものである。
【００１７】
容器本体１０は、図１等に示すように、上端に開口１３ｂを有し、略円筒形状を有する側壁１１と、側壁１１の下端を閉塞する底壁１５とを備えている。底壁１５の内周端には、後述する回転体３０に設けられた係合突部３１ｄにアンダーカット係合し回転体３０の下方への抜け出しを阻止する爪部１５ａが設けられている。そして、爪部１５ａの径方向内側には、回転軸３１が貫通する開口１５ｂが形成されている。
【００１８】
容器本体１０の側壁１１の内周面には、図３に示すように、突条１１ａが形成されている。突条１１ａは、後述する中皿体２０の外筒壁２７の外周面に形成された案内溝２７ｂに嵌合することで、中皿体２０を容器本体１０に対して回転不能に支持している。
【００１９】
容器本体１０の側壁１１の上端部には、図１に示すように、側壁１１よりも薄肉に形成された嵌合筒１３が設けられている。そして、嵌合筒１３の外周面に設けられた係止突起１３ａが後述する蓋体４０の蓋体側壁４１の内周面に形成された環状突部４１ａにアンダーカット係合することで、蓋体４０は容器本体１０に着脱可能に固定することができる。なお、容器本体１０の材質は、各種合成樹脂のほか、アルミニウム等の金属材料を用いることができる。
【００２０】
中皿体２０は、図示しない棒状の内容物を下方から支持する皿状部２１と、皿状部２１の内周端に連なり上下方向に延びる内筒壁２３と、皿状部２１の外周端に連なり上下方向に延びる外筒壁２７とを備えている。
【００２１】
皿状部２１は、回転体３０の回転軸３１を貫通させる内筒壁２３から径方向外側、且つ略水平方向に延びる板状部であり、棒状の内容物を下方から支持する。内筒壁２３の内周面には、図２に示すように、回転軸３１の外周面に形成された雄ねじ部３１ａ（図３等参照）にねじ係合可能な雌ねじ部２３ａが設けられている。すなわち、雄ねじ部３１ａと雌ねじ部２３ａは、対となるねじ係合部を構成している。上述のように、中皿体２０は、容器本体１０に対して相対回転不能に構成されているため、回転軸３１を容器本体１０に対して中心軸線Ｃ周りに回転させることにより、中皿体２０に対しても回転し、中皿体２０をねじ係合部を介して上下方向に移動させることができる。
【００２２】
外筒壁２７は、皿状部２１の外周端に連なり上下方向に延びる筒状部である。外筒壁２７は、図３に示すように、中心軸線Ｃに沿って上下方向に延びる案内溝２７ｂ（凹部）が外周面に設けられており、この案内溝２７ｂ内に容器本体１０の内周面に形成された突条１１ａ（凸部）が嵌合することで、中皿体２０は、容器本体１０に対して中心軸線Ｃ周りに回転不能とされている。
【００２３】
内筒壁２３のうち、皿状部２１の下方部分には、図２及び図３に示すように、周方向の対向する２箇所において、径方向内側に突出するリブ２３ｄが形成されている。リブは、平板部や薄肉部を補強するためにそれらの面に直交する方向に設けた部材であり、本実施形態のリブ２３ｄは、内筒壁２３と一体に形成されている。リブ２３ｄは、内筒壁２３の内周面に形成され、平面視で滑らかなＲ面で構成されると共に上下方向に概ね一様な形状を有している。
【００２４】
内筒壁２３は、図３に示すように、リブ２３ｄが形成された周方向位置を含む所定の周方向位置（図３の左右方向）において、壁の厚みが他の周方向位置よりも薄肉に形成された薄肉部２３ｃを有している。この構成によって、後述するように、回転軸３１を中心軸線Ｃ周りに９０度回転させて、リブ２３ｄと回転軸３１における切り欠き３１ｂが形成されていない雄ねじ部３１ａとが当接したとき（図４参照）に、薄肉部２３ｃが径方向外側に変形して雄ねじ部３１ａを受け入れると共に、リブ２３ｄが雄ねじ部３１ａを径方向内側に押圧することで、回転軸３１と内筒壁２３との摺動抵抗を増加させることができる。
【００２５】
回転体３０は、図２に示すように、中皿体２０の内筒壁２３の径方向内側を貫く回転軸３１と、回転軸３１の下端部３１ｃから径方向外側に延びる底壁３３と、底壁３３の外周端に連なる把持部３５とを備えている。
【００２６】
回転軸３１は、図２に示すように、繰り出し容器１００の中心軸線Ｃに沿って上下方向に延び、中皿体２０の内筒壁２３の径方向内側を貫いている。回転軸３１は、図３に示すように、外周面に雄ねじ部３１ａが形成されると共に、周方向の対向する２箇所に切り欠き３１ｂが形成され、いわゆるＩカットを施した断面形状を有している。そして、本実施形態では、内筒壁２３の内周面において周方向の対向する２箇所に設けられたリブ２３ｄの径方向内側端同士の距離が、回転軸３１の切り欠き３１ｂが形成されていない周方向位置における外径よりも短くなるように構成されている。このような構成の採用によって、利用者が回転軸３１を中心軸線Ｃ周りに回転させて、リブ２３ｄと、切り欠き３１ｂが形成されていない周方向位置における雄ねじ部３１ａとを当接させることによって、図４に示すように、中皿体２０側の薄肉部２３ｃが径方向外側に変形して雄ねじ部３１ａを受け入れると共に、リブ２３ｄが雄ねじ部３１ａを径方向内側に押圧することで、回転軸３１と内筒壁２３との摺動抵抗が増加する。
【００２７】
回転軸３１の下端部３１ｃには、径方向外側、且つ略水平方向に延びる円板状の底壁３３が設けられている。そして、底壁３３の外周端には、下方に連なり利用者が回転体３０を回転させる際に把持する円筒状の把持部３５が形成されている。繰り出し容器１００の利用者が一方の手で容器本体１０の外周面を把持しつつ他方の手でこの把持部３５を把持しながら回転させることで、容器本体１０に対して回転体３０を中心軸線Ｃ周りに相対回転させて、中皿体２０に支持された内容物を開口１３ｂから上方に繰り出すことができる。
【００２８】
回転軸３１の下端部３１ｃ近傍における外周面には、径方向外側に僅かに突出する係合突部３１ｄが形成されている。容器本体１０の開口１５ｂに回転軸３１を挿入して組み付ける際に、この係合突部３１ｄに容器本体１０側の爪部１５ａをアンダーカット係合させることで、回転体３０を下方に引き抜き困難な状態で保持することができる。
【００２９】
蓋体４０は、有頂筒状形状を有し、容器本体１０の上端部の開口１３ｂを閉塞する。蓋体４０は、蓋体側壁４１と、蓋体側壁４１の上端に連なる頂壁４３とを有している。蓋体４０は、蓋体側壁４１の内周面の環状突部４１ａが、容器本体１０側の嵌合筒１３の外周面に設けられた係止突起１３ａにアンダーカット係合することで、容器本体１０に対して着脱可能に固定されている。
【００３０】
このような構成を有する繰り出し容器１００を使用するに際しては、まず利用者が、図１の状態から蓋体４０の蓋体側壁４１を把持しながら上方に引き抜き、容器本体１０の上端側の開口１３ｂを開放して内容物を露出させる。次に、利用者は、一方の手で容器本体１０の外周面を把持しつつ他方の手で回転体３０の把持部３５を把持しながら中心軸線Ｃ周りに回転させる。このとき、中皿体２０は、突条１１ａが案内溝２７ｂに嵌合することで容器本体１０に対して回転不能に支持されているので、中皿体２０に対して回転体３０が回転することになる。本実施形態において、回転体３０側の雄ねじ部３１ａ及び中皿体２０側の雌ねじ部２３ａは共に二条ねじとして構成されているため、回転体３０を底面視で右回りに回転させることで、回転体３０一回転あたり中皿体２０を二条ねじの２ピッチに相当する距離だけ上方に移動させることができる。
【００３１】
なお、回転体３０を容器本体１０に対して相対回転させると、図２及び図３に示すように、中皿体２０に設けたリブ２３ｄと回転軸３１との間に隙間がある状態と、図４及び図５に示すように、リブ２３ｄが回転軸３１の雄ねじ部３１ａに当接した状態とが交互に入れ替わることになる。そして、リブ２３ｄが回転軸３１の雄ねじ部３１ａに当接した状態では、薄肉部２３ｃが径方向外側に変形し、その変形に伴う弾性力によって、リブ２３ｄが雄ねじ部３１ａを径方向内側に押圧することで、回転軸３１と内筒壁２３との摺動抵抗が増加する。しかし、本実施形態では、リブ２３ｄが回転軸３１の雄ねじ部３１ａに当接した状態であっても、利用者が把持部３５を把持して回転体３０を容易に回転させることができる程度の摺動抵抗しか生じないように構成されている。従って、利用者は、回転体３０を回転させる際に多少の摺動抵抗の変動を感じつつも、容易に回転体３０を回転させて、内容物を開口１３ｂから上方に繰り出すことができる。
【００３２】
一方、利用者が繰り出し容器１００をバッグ等に収容して持ち運ぶなどする際に、バッグと繰り出し容器１００との間の摩擦等により回転体３０に外力が作用することがある。しかし、上述のように、中皿体２０に対する回転体３０の摺動抵抗が増大するような周方向位置（図４及び図５）を設けているため、回転体３０に意図しない外力が作用しても、摺動抵抗が増大する周方向位置で回転体３０が停止し、回転体３０がそれ以上回転してしまうことがない。すなわち、本実施形態では、中皿体２０に対する回転体３０の摺動抵抗が増大する周方向位置（図４及び図５）において、利用者が摺動抵抗に抗して回転体３０を容易に回転させることができる一方、バッグと繰り出し容器１００との間の摩擦等では回転しない程度の摺動抵抗が発生するように構成されている。従って、利用者が繰り出し容器１００をバッグ等に収容して持ち運ぶ際に、意図しない内容物の繰り出しを抑制することができる。
【００３３】
以上述べたように、本実施形態では、上部に開口１３ｂを有する筒状の容器本体１０と、容器本体１０内に配置され、皿状部２１と皿状部２１の内周端に連なる内筒壁２３とを有し、容器本体１０に対して上下方向に移動可能、且つ回転不能に支持された中皿体２０と、上下方向に延び内筒壁２３の径方向内側を貫く回転軸３１を有する回転体３０とを備え、回転軸３１の外周面及び内筒壁２３の内周面には、ねじ係合部（雄ねじ部３１ａ及び雌ねじ部２３ａ）が形成されており、回転軸３１の外周面には、周方向の少なくとも１箇所に切り欠き３１ｂが形成され、内筒壁２３の内周面には、周方向の少なくとも１箇所において径方向内側に突出する突出部２３ｄが形成されるように構成した。このような構成の採用によって、中皿体２０に対して回転体３０が回転したときに、中皿体２０に対する回転体３０の摺動抵抗が増大する周方向位置が存在する。従って、利用者が繰り出し容器１００をバッグ等に収容して持ち運ぶ際に摩擦等により回転体３０に外力が作用しても、中皿体２０に対する回転体３０の摺動抵抗が増大する周方向位置で回転体３０の回転が停止する。これによって、意図しない内容物の繰り出しを抑制することができる。
【００３４】
また、本実施形態では、回転軸３１の外周面には、周方向の対向する２箇所に切り欠き３１ｂが形成され、内筒壁２３の内周面には、周方向の対向する２箇所において径方向内側に突出するリブ２３ｄが形成されるように構成した、このような構成の採用によって、中皿体２０に対して回転体３０が回転したときに、中皿体２０に対する回転体３０の摺動抵抗が増大する周方向位置が１回転内に２箇所存在する。従って、中皿体２０に対する回転体３０の摺動抵抗が増大する２箇所の周方向位置で回転体３０の回転をより確実に停止させることができる。これによって、意図しない内容物の繰り出しを確実に抑制することができる。
【００３５】
また、本実施形態では、周方向の対向する２箇所に形成され径方向内側に突出するリブ２３ｄの径方向内側端同士の距離は、回転軸３１の切り欠き３１ｂが形成されていない周方向位置における外径よりも短くなるように構成した。このような構成の採用によって、リブ２３ｄが、切り欠き３１ｂが形成されていない周方向位置における雄ねじ部３１ａに当接する際の中皿体２０に対する回転体３０の摺動抵抗をより確実に発生させることができる。従って、中皿体２０に対する回転体３０の摺動抵抗が増大する周方向位置（図４及び図５参照）で回転体３０の回転をより確実に停止させることができる。これによって、意図しない内容物の繰り出しを確実に抑制することができる。
【００３６】
また、本実施形態では、内筒壁２３は、突出部２３ｄが形成された周方向位置を含む所定の周方向位置において、他の周方向位置よりも壁の厚みが薄肉である薄肉部２３ｃを有するように構成した。このような構成の採用によって、突出部２３ｄが、切り欠き３１ｂが形成されていない周方向位置における雄ねじ部３１ａに当接する際に、薄肉部２３ｃを径方向外側に弾性変形させることで、回転体３０を中皿体２０に対して相対回転し易くすることができる。従って、利用者が、意図して回転体３０を回転させる際に、スムーズに回転させることができる。
【００３７】
また、本実施形態では、中皿体２０は、皿状部２１の外周端に連なる外筒壁２７を更に有し、外筒壁２７の外周面及び容器本体１０の内周面の一方に形成され中心軸線Ｃ方向に延びる凸部（突条１１ａ）が、外筒壁２７の外周面及び容器本体１０の内周面の他方に形成され中心軸線Ｃ方向に延びる凹部（案内溝２７ｂ）に嵌合することにより、中皿体２０は容器本体１０に対して回転不能に支持されるように構成した。このような構成の採用によって、中皿体２０を確実に容器本体１０に対して回転不能に支持し、中皿体２０に対して回転体３０を相対回転させることができるので、回転体３０の回転をねじ係合部を介して中皿体２０の上下方向の移動に変換することができる。
【００３８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【００３９】
例えば、本実施形態では、容器本体１０の内周面に突条１１ａを形成すると共に、中皿体２０の外筒壁２７の外周面に案内溝２７ｂを形成することで、容器本体１０に対して中皿体２０を回転不能に構成したが、この態様には限定されない。容器本体１０の内周面に案内溝を形成すると共に、中皿体２０の外筒壁２７の外周面に突条を形成する構成としてもよい。また、突条及び案内溝以外の凸部及び凹部を採用してもよい。
【００４０】
また、本実施形態では、内筒壁２３の内周面から突出する突出部として中心軸線Ｃ方向に延びるリブ２３ｄを設けるように構成したが、この態様には限定されない。突出部として、内筒壁２３の内周面に突起部等を設けてもよい。また、突出部は、必ずしも周方向の対向する２箇所に設けていなくてもよく、周方向の１箇所にのみ設けたり、周方向の３箇所以上に設けてもよい。
【００４１】
また、本実施形態では、回転軸３１において、周方向の対向する２箇所に切り欠き３１ｂを設けるように構成したが、この態様には限定されない。切り欠き３１ｂを周方向の１箇所にのみ設けてＤカットを形成したり、切り欠き３１ｂを周方向の３箇所以上に設けてもよい。また、切り欠き３１ｂは、図３及び図４に示すような中心軸線Ｃに平行な平面に限定されず、曲面で構成されていてもよい。
【００４２】
また、本実施形態では、回転軸３１及び内筒壁２３に二条ねじの構成を有する雄ねじ部３１ａ及び雌ねじ部２３ａを設けるように構成したが、この態様には限定されない。雄ねじ部３１ａ及び雌ねじ部２３ａは一条ねじであってもよいし、二条ねじ以外の多条ねじであってもよい。
【００４３】
次に、本発明の第２実施形態に係る繰り出し容器２００について、図６乃至図９を用いて説明する。なお、本実施形態に係る繰り出し容器２００は、第１実施形態と比較して、内筒壁２３の構成が一部異なる他は、第１実施形態の構成と近似している。ここでは、第１実施形態との差異点を中心に説明する。
【００４４】
内筒壁２３のうち、皿状部２１の下方部分には、図６及び図７に示すように、周方向の１箇所において、径方向内側に突出するリブ２３ｅが形成されている。リブ２３ｅは、内筒壁２３の内周面に形成され、中心軸線Ｃに平行な平面と内筒壁２３の内周面とで囲まれた領域で構成されている。また、リブ２３ｅは、上下方向に概ね一様な形状を有している。
【００４５】
回転体３０は、図６に示すように、中皿体２０の内筒壁２３の径方向内側を貫く回転軸３１と、回転軸３１の下端部３１ｃから径方向外側に延びる底壁３３と、底壁３３の外周端に連なる把持部３５とを備えている。
【００４６】
回転軸３１は、図６に示すように、繰り出し容器２００の中心軸線Ｃに沿って上下方向に延び、中皿体２０の内筒壁２３の径方向内側を貫いている。回転軸３１は、図７に示すように、外周面に雄ねじ部３１ａが形成されると共に、周方向の対向する２箇所に切り欠き３１ｂが形成され、いわゆるＩカットを施した断面形状を有している。そして、本実施形態では、平面視における、内筒壁２３の内周面に設けられたリブ２３ｅの径方向内側端と内筒壁２３の内周面との最大距離は、回転軸３１の切り欠き３１ｂが形成されていない周方向位置における外径よりも短くなるように構成されている。このような構成の採用によって、利用者が回転軸３１を中心軸線Ｃ周りに回転させて、リブ２３ｅと、切り欠き３１ｂが形成されていない周方向位置における雄ねじ部３１ａとを当接させることによって、図８に示すように、回転軸３１がリブ２３ｅによって、リブ２３ｅとは反対方向に押圧される。これによって、回転軸３１は、中心軸線Ｃに対して図８及び図９における左方向に偏心し、リブ２３ｅと対向する内筒壁２３の内周面に押し付けられる。従って、回転体３０を中心軸線Ｃ周りに回転させる際の回転軸３１と内筒壁２３との摺動抵抗が増加する。
【００４７】
このような構成を有する繰り出し容器２００を使用するに際しては、第１実施形態と同様に容器本体１０から蓋体４０を引き抜いた後、利用者は、一方の手で容器本体１０の外周面を把持しつつ他方の手で回転体３０の把持部３５を把持しながら中心軸線Ｃ周りに回転させる。このとき、中皿体２０は、突条１１ａが案内溝２７ｂに嵌合することで容器本体１０に対して回転不能に支持されているので、中皿体２０に対して回転体３０が回転することになる。本実施形態において、回転体３０側の雄ねじ部３１ａ及び中皿体２０側の雌ねじ部２３ａは共に二条ねじとして構成されているため、回転体３０を底面視で右回りに回転させることで、回転体３０一回転あたり中皿体２０を二条ねじの２ピッチに相当する距離だけ上方に移動させることができる。
【００４８】
なお、回転体３０を容器本体１０に対して相対回転させると、図６及び図７に示すように、中皿体２０に設けたリブ２３ｅと回転軸３１との間に隙間がある状態と、図８及び図９に示すように、リブ２３ｅが回転軸３１の雄ねじ部３１ａに当接した状態とが交互に入れ替わることになる。そして、リブ２３ｅが回転軸３１の雄ねじ部３１ａに当接した状態では、回転軸３１がリブ２３ｅによって、リブ２３ｅとは反対方向に押圧され、これによって、回転軸３１は、中心軸線Ｃに対して図８及び図９における左方向に偏心し、リブ２３ｅと対向する内筒壁２３の内周面に押し付けられる。従って、回転体３０を中心軸線Ｃ周りに回転させる際の回転軸３１と内筒壁２３との摺動抵抗が増加する。しかし、本実施形態では、リブ２３ｅが回転軸３１の雄ねじ部３１ａに当接した状態であっても、利用者が把持部３５を把持して回転体３０を容易に回転させることができる程度の摺動抵抗しか生じないように構成されている。従って、利用者は、回転体３０を回転させる際に多少の摺動抵抗の変動を感じつつも、容易に回転体３０を回転させて、内容物を開口１３ｂから上方に繰り出すことができる。
【００４９】
一方、利用者が繰り出し容器２００をバッグ等に収容して持ち運ぶなどする際に、バッグと繰り出し容器２００との間の摩擦等により回転体３０に外力が作用することがある。しかし、上述のように、中皿体２０に対する回転体３０の摺動抵抗が増大するような周方向位置（図８及び図９）を設けているため、回転体３０に意図しない外力が作用しても、摺動抵抗が増大する周方向位置で回転体３０が停止し、回転体３０がそれ以上回転してしまうことがない。すなわち、本実施形態では、中皿体２０に対する回転体３０の摺動抵抗が増大する周方向位置（図８及び図９）において、利用者が摺動抵抗に抗して回転体３０を容易に回転させることができる一方、バッグと繰り出し容器２００との間の摩擦等では回転しない程度の摺動抵抗が発生するように構成されている。従って、利用者が繰り出し容器２００をバッグ等に収容して持ち運ぶ際に、意図しない内容物の繰り出しを抑制することができる。
【００５０】
以上述べたように、本実施形態では、回転軸３１の外周面には、周方向の対向する２箇所に切り欠き３１ｂが形成され、内筒壁２３の内周面には、周方向の１箇所において径方向内側に突出するリブ２３ｅが形成されるように構成した。このような構成の採用によって、中皿体２０に対して回転体３０が回転したときに、中皿体２０に対する回転体３０の摺動抵抗が増大する周方向位置が１回転内に２箇所存在する。従って、中皿体２０に対する回転体３０の摺動抵抗が増大する２箇所の周方向位置で回転体３０の回転をより確実に停止させることができる。これによって、意図しない内容物の繰り出しを確実に抑制することができる。
【００５１】
また、本実施形態では、平面視における、リブ２３ｅの径方向内側端と内筒壁２３の内周面との最大距離は、回転軸３１の切り欠き３１ｂが形成されていない周方向位置における外径よりも短くなるように構成した。このような構成の採用によって、リブ２３ｅが、切り欠き３１ｂが形成されていない周方向位置における雄ねじ部３１ａに当接する際の中皿体２０に対する回転体３０の摺動抵抗をより確実に発生させることができる。従って、中皿体２０に対する回転体３０の摺動抵抗が増大する周方向位置（図８及び図９参照）で回転体３０の回転をより確実に停止させることができる。これによって、意図しない内容物の繰り出しを確実に抑制することができる。
【産業上の利用可能性】
【００５２】
本発明は、例えば、化粧料（口紅、リップクリーム、若しくはスティックアイシャドウ等）、糊、又は薬剤等の棒状に形成された内容物を収容し、利用者が必要量だけ内容物を繰り出して使用する繰り出し容器に採用することができる。
【符号の説明】
【００５３】
１０      容器本体
１１      側壁
１１ａ    突条（凸部）
１３      嵌合筒
１３ａ    係止突起
１３ｂ    開口
１５      底壁
１５ａ    爪部
１５ｂ    開口
２０      中皿体
２１      皿状部
２３      内筒壁
２３ａ    雌ねじ部
２３ｃ    薄肉部
２３ｄ    リブ（突出部）
２３ｅ    リブ（突出部）
２７      外筒部
２７ｂ    案内溝（凹部）
３０      回転体
３１      回転軸
３１ａ    雄ねじ部
３１ｃ    下端部
３１ｄ    係合突部
３３      底壁
３５      把持部
４０      蓋体
４１      蓋体側壁
４１ａ    環状突部
４３      頂壁
１００    繰り出し容器
Ｃ        中心軸線
【図１】
2019208683.tif 000003
【図２】
2019208683.tif 000004
【図３】
2019208683.tif 000005
【図４】
2019208683.tif 000006
【図５】
2019208683.tif 000007
【図６】
2019208683.tif 000008
【図７】
2019208683.tif 000009
【図８】
2019208683.tif 000010
【図９】
2019208683.tif 000011